【事件の表示】
　特願２００２−１６０６４５「情報処理装置、情報処理方法、及び情報処理プログラム」拒絶査定不服審判事件〔平成１６年　１月　８日出願公開、特開２００４−　　１３１５〕について、次のとおり審決する。
【結　論】
　本件審判の請求は、成り立たない。
【理　由】
１　手続の経緯
　本願は、平成１４年５月３１日に特許出願したものであって、平成２０年６月２日付けで手続補正がなされたが、同年１０月１６日付けで拒絶査定がなされ、これに対して、同年１１月２０日に拒絶査定不服審判請求がなされるとともに、同年１２月１８日付けで手続補正がなされたものである（以下、平成２０年１２月１８日付けでなされた手続補正を「本件補正」という。）。
 　 
２　本件補正についての却下の決定
（１）結論
　 本件補正を却下する。
 　 
（２）理由
　ア　補正の内容
　本件補正は、特許請求の範囲の請求項１につき、補正前の
「　複数の描画物が描画された被筆記面の画像を、入力画像として取得する入力手段と、
　前記入力画像に対する画像処理を実行する画像処理手段と、
　前記入力画像及び当該入力画像に係る情報を含む画像識別情報、並びに前記描画物及び当該描画物に係る情報を含む領域識別情報が登録される領域登録手段と、
　前記画像処理手段にて画像処理が実行された入力画像から複数の前記描画物を検出し、各々の前記描画物の前記入力画像において占める領域を特定し、
それぞれの前記特定された領域とそれぞれの前記特定された領域の前記入力画像における位置を示す位置データを含む領域識別情報とを対応付け、
前記入力画像と前記画像識別情報とともに前記領域登録手段へ登録する自動領域ラベル付け処理手段と、
　前記領域登録手段に登録されている入力画像及び描画物を表示する表示手段と、
　操作手段を介して前記表示手段に表示された入力画像及び描画物に係るユーザの操作を受付ける操作受付手段と、
　前記操作受付手段にて、前記複数の描画物のうち、第１の描画物の指定を受け付けた後、当該指定された第１の描画物を第２の描画物にドラッグアンドドロップする操作を受け付けると、当該受け付けた操作に応じて、
前記第１の描画物のリンク先が前記第２の描画物であることを示すリンク情報を生成して、前記第１の描画物を示す領域に対応付けられた第１の領域識別情報に登録し、前記第２の描画物のリンク元が前記第１の描画物であることを示すリンク情報を生成して、前記第２の描画物を示す領域に対応付けられた第２の領域識別情報に登録するハイパーテキスト編集手段と、
　前記操作受付手段にて、保存を指示する操作を受付けると、当該受付けた操作に応じて、
前記表示手段に表示されている入力画像及び画像識別情報並びに描画物及び領域識別情報をハイパーテキスト登録手段に送出する保存手段と、
　前記保存手段から送出された入力画像及び画像識別情報並びに描画物及び領域識別情報をＨＴＭＬ形式の文書に変換して、ハードディスクに保存するハイパーテキスト登録手段と
　を備えることを特徴とする情報処理装置。」
を
「　複数の描画物が描画された被筆記面の画像を、入力画像として取得する入力手段と、
　前記入力画像に対する画像処理を実行する画像処理手段と、
　前記入力画像及び当該入力画像に係る情報を含む画像識別情報、並びに前記描画物及び当該描画物に係る情報を含む領域識別情報が登録される領域登録手段と、
　前記画像処理手段にて画像処理が実行された入力画像から複数の前記描画物を検出し、各々の前記描画物の前記入力画像において占める領域を特定し、
それぞれの前記特定された領域とそれぞれの前記特定された領域の前記入力画像における位置を示す位置データを含む領域識別情報とを対応付け、
前記入力画像と前記画像識別情報とともに前記領域登録手段へ登録する自動領域ラベル付け処理手段と、
　前記領域登録手段に登録されている入力画像及び描画物を表示する表示手段と、
　操作手段を介して前記表示手段に表示された入力画像及び描画物に係るユーザの操作を受付ける操作受付手段と、
　前記操作受付手段にて、前記複数の描画物のうち、第１の描画物の指定を受け付けた後、当該指定された第１の描画物を第２の描画物にドラッグアンドドロップする操作を受け付けると、当該受け付けた操作に応じて、
前記第１の描画物のリンク先が前記第２の描画物であることを示すリンク情報を生成して、前記第１の描画物を示す領域に対応付けられた第１の領域識別情報に登録し、前記第２の描画物のリンク元が前記第１の描画物であることを示すリンク情報を生成して、前記第２の描画物を示す領域に対応付けられた第２の領域識別情報に登録するハイパーテキスト編集手段と、
　前記操作受付手段にて、保存を指示する操作を受付けると、当該受付けた操作に応じて、
前記表示手段に表示されている入力画像及び画像識別情報並びに描画物及び領域識別情報をハイパーテキスト登録手段に送出する保存手段と、
　前記保存手段から送出された入力画像及び画像識別情報並びに描画物及び領域識別情報をＨＴＭＬ形式の文書に変換して、ハードディスクに保存するハイパーテキスト登録手段とを備え
、
　前記ハイパーテキスト編集手段により、前記第１の描画物と前記第２の描画物とがリンク付けされる
に補正する内容を含むものである。
 　 
　イ　補正の目的
　上記アの補正の内容は、補正前の請求項１の「ハイパーテキスト編集手段」について、「ハイパーテキスト編集手段により、前記第１の描画物と前記第２の描画物とがリンク付けされる」ものであることを限定するものであるから、平成１４年法律第２４号による改正前の特許法（以下「平成１４年改正前特許法」という。）第１７条の２第４項第２号に掲げる特許請求の範囲の減縮を目的とするものに該当すると認められる。
 　 
　ウ　独立特許要件
　本件補正後の請求項１に係る発明（以下「本願補正発明」という。）が、特許出願の際独立して特許を受けることができるものであるかについて検討する。
 　 
（ア）本願補正発明の技術上の意義
　ａ　本願明細書には、以下の記載がある（なお、以下の記載は、本願の各手続補正を通じて補正はなされていない。）。
　
「　　　【０００７】
　　【発明が解決しようとする課題】
　従来の技術として、「描画物が描画されたホワイトボードや黒板を画像として取り込み、この画像を情報処理の対象とするシステム」の例について説明した。
　　　【０００８】
　ここでは、「描画物が描画されたホワイトボードや黒板などの被筆記装置の被筆記面を画像として取り込み、この画像を情報処理の対象とするシステム」の例として、「描画物が描画されたホワイトボードや黒板などの被筆記装置の被筆記面を画像として取り込み、表示装置（ディスプレイ）に表示させることができる電子的な文書として、取り込んだ画像又は取り込んだ画像の描画物部分（取り込んだ画像の部分であって、描画物を含むような部分）を有する文書を自動的に生成するシステム」について考える。
　　　【０００９】
　取り込まれた画像同士や、取り込まれた画像に含まれる描画物同士には、何らかの関係があることが多い。例えば、描画物として「第１議題」と「第２議題」とが描画されたホワイトボードを画像として取り込み、続いて、描画物として「第１議題の結論」と「第２議題の結論」とが描画されたホワイトボードを画像として取り込んだ場合、画像同士には「全議題とその全結論」という関係があり、描画物同士には「第１議題とその結論」「第２議題とその結論」「第１議題と第２議題」などの関係がある。
　　　【００１０】
　よって、ある画像又はある描画物部分を有する文書が生成され、その文書が表示装置に表示されているとき、その文書を見ている者（文書のユーザー）が、その画像又はその描画物部分と関係がある画像又は描画物部分に自動的にアクセスできれば便利である。そのため、システムに文書を生成させようとする者（システムのユーザー）が、システムにより文書が生成される前に、どの画像又はどの描画物部分からどの画像又はどの描画物部分にアクセスできるかを予め選択しておけば、前者から後者へと自動的にアクセスできるような文書が自動的に生成されれば便利である。
　　　【００１１】
　従来、このようなシステムは存在しなかった。
　　　【００１２】
　したがって、本発明は、描画物が描画された被筆記装置の被筆記面の画像に関して、当該画像又は当該画像の描画物部分を有する文書であって、その文書が表示装置に表示されているとき、その文書を見ている者が、その画像又はその描画物部分と関係がある画像又は描画物部分に自動的にアクセスできるような形式の文書を生成することを課題とする。」、
「　　【発明の効果】
　本発明によれば、描画物が描画された被筆記装置の被筆記面の画像に関して、「リンク元として予め指定された画像又は領域内の画像」が「リンク先として予め指定された画像又は他の領域内の画像」にリンクするように文書を生成することによって、当該画像又は当該画像の描画物部分を有する文書であって、その文書が表示装置に表示されているとき、その文書を見ている者が、その画像又はその描画物部分と関係がある画像又は描画物部分に自動的にアクセスできるような形式の文書を生成することができる。」
　
　ｂ　上記ａによれば、従来の技術においては、下記（ａ）の問題があったところ、本願補正発明の技術上の意義は、下記（ｂ）の点にあるものと認められる。
　
（ａ）従来の技術として、「描画物が描画されたホワイトボードや黒板を画像として取り込み、この画像を情報処理の対象とするシステム」の例があるが、例えば、描画物として「第１議題」と「第２議題」とが描画されたホワイトボードを画像として取り込み、続いて、描画物として「第１議題の結論」と「第２議題の結論」とが描画されたホワイトボードを画像として取り込んだ場合、画像同士には「全議題とその全結論」という関係があり、描画物同士には「第１議題とその結論」「第２議題とその結論」「第１議題と第２議題」などの関係があるといったように、取り込まれた画像同士や、取り込まれた画像に含まれる描画物同士には、何らかの関係があることが多い。
　よって、ある画像又はある描画物部分を有する文書が表示装置に表示されているとき、その文書を見ている者（文書のユーザー）が、その画像又はその描画物部分と関係がある画像又は描画物部分に自動的にアクセスできれば便利であるが、従来、このようなシステムは存在しなかった。
　
（ｂ）本願補正発明は、描画物が描画された被筆記装置の被筆記面の画像に関して、「リンク元として予め指定された画像又は領域内の画像」が「リンク先として予め指定された画像又は他の領域内の画像」にリンクするように文書を生成することによって、当該画像又は当該画像の描画物部分を有する文書が表示装置に表示されているとき、その文書を見ている者が、その画像又はその描画物部分と関係がある画像又は描画物部分に自動的にアクセスできるような形式の文書を生成することができるようにしたものである。
　
　ｃ　そして、本願補正発明は、上記ｂ（ｂ）の技術上の意義を有する情報処理装置の具体的な構成を特定したものであって、請求項１を分説すると、以下のＡないしＫの各要素を備えるものということができる。
　
　Ａ　複数の描画物が描画された被筆記面の画像を、入力画像として取得する入力手段と、
　Ｂ　前記入力画像に対する画像処理を実行する画像処理手段と、
　Ｃ　前記入力画像及び当該入力画像に係る情報を含む画像識別情報、並びに前記描画物及び当該描画物に係る情報を含む領域識別情報が登録される領域登録手段と、
　Ｄ　前記画像処理手段にて画像処理が実行された入力画像から複数の前記描画物を検出し、各々の前記描画物の前記入力画像において占める領域を特定し、
それぞれの前記特定された領域とそれぞれの前記特定された領域の前記入力画像における位置を示す位置データを含む領域識別情報とを対応付け、
前記入力画像と前記画像識別情報とともに前記領域登録手段へ登録する自動領域ラベル付け処理手段と、
　Ｅ　前記領域登録手段に登録されている入力画像及び描画物を表示する表示手段と、
　Ｆ　操作手段を介して前記表示手段に表示された入力画像及び描画物に係るユーザの操作を受付ける操作受付手段と、
　Ｇ　前記操作受付手段にて、前記複数の描画物のうち、第１の描画物の指定を受け付けた後、当該指定された第１の描画物を第２の描画物にドラッグアンドドロップする操作を受け付けると、当該受け付けた操作に応じて、
前記第１の描画物のリンク先が前記第２の描画物であることを示すリンク情報を生成して、前記第１の描画物を示す領域に対応付けられた第１の領域識別情報に登録し、前記第２の描画物のリンク元が前記第１の描画物であることを示すリンク情報を生成して、前記第２の描画物を示す領域に対応付けられた第２の領域識別情報に登録するハイパーテキスト編集手段と、
　Ｈ　前記操作受付手段にて、保存を指示する操作を受付けると、当該受付けた操作に応じて、
前記表示手段に表示されている入力画像及び画像識別情報並びに描画物及び領域識別情報をハイパーテキスト登録手段に送出する保存手段と、
　Ｉ　前記保存手段から送出された入力画像及び画像識別情報並びに描画物及び領域識別情報をＨＴＭＬ形式の文書に変換して、ハードディスクに保存するハイパーテキスト登録手段とを備え、　
　Ｊ　前記ハイパーテキスト編集手段により、前記第１の描画物と前記第２の描画物とがリンク付けされることを特徴とする
　Ｋ　情報処理装置。
　
　ｄ　更に、上記ＡないしＪの各要素は、概略以下の各機能を実現するための手段であるということができる。
　
（ａ）Ａは、複数の描画物が描画された被筆記面の画像を取得するための手段である。
（ｂ）ＢないしＤは、入力画像を識別するための処理を施すとともに、描画物の入力画像に占める領域を識別するための処理を施し、かかる識別のための処理を施された入力画像及び描画物を登録するための手段であり、かかる機能を実現するための手段を具体的に特定したものである。
（ｃ）Ｅは、入力画像及び描画物を表示するための手段である。
（ｄ）ＦないしＪは、表示された描画物を利用してドラッグアンドドロップする操作により描画物のリンク付け作業を行い、これにより生成されたリンク情報とともに入力画像及び描画物を保存する手段であり、かかる機能を実現するための手段を具体的に特定したものである。
　
（イ）刊行物の記載
　原査定の拒絶の理由に引用された、本願の出願前に頒布された刊行物である特開平７−７２９７８号公報（以下「引用例」という。）には、以下の記載がある。
 　 
　ａ　「【請求項５】  スクリーン上に描かれた手書き入力の文字や図形を画像データとしてスキャナにより取り込みその画像データをビットマップメモリに記憶する電子黒板において、
ビットマップメモリ上の画像データ群の中から文字を示す画像データを認識し、その画像データを文字コードデータに変換する文字認識手段と、
この文字認識手段によって文字として認識されなかった画像データを図形を示す画像データとして認識し、その画像データを図形ベクトルデータに変換する図形ベクトルデータ変換手段と、
この図形ベクトルデータ変換手段によって生成された図形ベクトルデータ群の中から処理対象文字列特定図形を示す図形ベクトルデータを認識し、その図形ベクトルデータによって特定される処理対象文字列を示す文字コードデータを抽出する文字列抽出手段と、
この文字列抽出手段によって抽出された文字コードデータ群の整理を行い、当該整理に基づいてビットマップメモリ上の画像データ群の再配置を行うフォーマット手段と、
このフォーマット手段によって再配置された画像データ群に基づく文字や図形の出力を行う電子黒板出力手段とを有することを特徴とする電子黒板。
【請求項６】  処理対象文字列特定図形をサークルとして処理対象文字列を示す文字コードデータの抽出を行う前記文字列抽出手段を有することを特徴とする請求項５記載の電子黒板。」
 　
　ｂ　「【００１１】図２は、本実施例の電子黒板の処理を示す流れ図である。この処理は、画像データ取り込みステップ２−１と、ビットマップメモリ展開ステップ２−２と、手書き文字コード変換ステップ２−３と、図形ベクトルデータ変換ステップ２−４と、処理対象文字列抽出ステップ２−５と、処理対象文字列分類・整理ステップ２−６と、ビットマップメモリ再配置ステップ２−７と、再配置後出力ステップ２−８とからなる。
【００１２】図３は、本実施例の電子黒板の具体的な動作を説明するための図である。
【００１３】次に、図１に示すように構成された本実施例の電子黒板の動作を、図２に示す処理アルゴリズムに基づいて説明する。なお、以下の説明においては、中央制御装置１−１による制御については言及しないが、各装置等の処理は中央制御装置１−１による制御の下で行われる。
【００１４】ＣＣＤスキャナ１−２は、スクリーン上に描かれた手書き入力による文字や図形を画像データとして取り込み（ステップ２−１）、ビットマップメモリ１−８上にその画像データを展開する（ステップ２−２）。
【００１５】ＯＣＲ装置１−３は、ビットマップメモリ１−８上の画像データ群の中から文字（手書き文字）を示す画像データを認識し、その画像データ（文字を示す画像データ）を文字コードデータに変換する（ステップ２−３）。
【００１６】図形ベクトルデータ変換装置１−４は、ステップ２−３で文字として認識されなかった画像データを図形を示す画像データとして認識し、その画像データ（図形を示す画像データ）を図形ベクトルデータに変換する（ステップ２−４）。
【００１７】文字列抽出装置１−５は、処理対象文字列（後述する分類・整理の対象となる文字列）を特定するための図形（処理対象文字列特定図形）を示す図形ベクトルデータ（本実施例では、サークル（閉曲線）を示す図形ベクトルデータ）をステップ２−４の変換で生成された図形ベクトルデータ群の中から認識し、その処理対象文字列特定図形によって特定される処理対象文字列（本実施例では、当該サークル内の文字列）を示す文字コードデータを抽出する（ステップ２−５）。
【００１８】フォーマッタ１−６は、ステップ２−５で抽出された文字コードデータ群の分類（グルーピング等）および整理（処理対象文字列の整列等）を表題（本実施例では、処理対象文字列特定図形であるサークル内の小さなサークル（以下、「小サークル」という）に囲まれた文字列）に基づいて行い、当該分類・整理に基づいて文字コードデータや図形ベクトルデータのフォーマッティングを行う（ステップ２−６）。
【００１９】さらに、フォーマッタ１−６は、ステップ２−６のフォーマッティングに基づいて、ビットマップメモリ１−８上の画像データ群の再配置を行う（ステップ２−７）。
【００２０】電子黒板出力装置１−７は、ステップ２−７で再配置されたビットマップメモリ１−８上の画像データ群をステップ２−６におけるフォーマッティングに従って出力（印字出力やスクリーン上への再描画）する（ステップ２−８）。
【００２１】次に、図３を参照して、本実施例の電子黒板の具体的な動作について説明する。
【００２２】図３の上部に示すように手書き入力の文字や図形がスクリーン上に描画されている場合に、処理対象文字列特定図形であるサークルによって処理対象文字列（「パソコンの市場」，「メインフレーム」および「ＰＣ９８ＭＡＴＥ」）が特定され、小サークルに囲まれた文字列によって表題（「Ｐ」および「Ｍ」）が示されている。
【００２３】この場合に、図２に示す処理が適用されると、処理対象文字列特定図形を示すサークルに囲まれていた文字列が抽出され、小サークルに囲まれた表題に基づく分類・整理が行われ、図３の下部に示すようなスクリーン上への再描画が行われる（印字出力についてもこのスクリーンと同様の形式での出力が行われる）。
・・・
【００２５】また、処理対象文字列の分類（グルーピング等）が不要であって整理のみが目的であれば、「表題」の考え方を導入せずに上述の電子黒板を実現することも可能である。かかる「表題の考え方を導入しない発明」が、請求項５記載の発明および請求項６記載の発明である（請求項６記載の発明では処理対象文字列特定図形がサークルに限定されており、請求項５記載の発明ではそのような限定がない）。」
 　 
　ｃ　「【００２６】
【発明の効果】以上説明したように本発明は、スクリーン上に描かれた手書き入力の文字や図形の中から処理対象文字列を自動的に抽出（認識）し（サークル等の処理対象文字列特定図形を使用して抽出する）、当該処理対象文字列の分類・整理を行うことにより、スクリーン上の文字や図形に基づいてアイデアをまとめたり整理したりすることが容易になり、そのようなアイデアのまとめ・整理の際に必要となる人間（電子黒板の利用者）の労力（手間）を削減することができるという効果がある。」
　
　ｄ　図３をみると、各々サークルで囲まれた複数の文字列がスクリーン上に描かれていること、出力された各々の文字列が枠で囲まれていることがみてとれる。
　
（イ）引用発明
　上記（ア）ａ、ｂ及びｄによれば、引用例には、次の発明が記載されているものと認められる。
　
「スクリーン上に描かれた手書き入力の文字や図形を画像データとしてスキャナにより取り込みその画像データをビットマップメモリに記憶する電子黒板において、ビットマップメモリ上の画像データ群の中から文字を示す画像データを認識し、その画像データを文字コードデータに変換する文字認識手段と、この文字認識手段によって文字として認識されなかった画像データを図形を示す画像データとして認識し、その画像データを図形ベクトルデータに変換する図形ベクトルデータ変換手段と、この図形ベクトルデータ変換手段によって生成された図形ベクトルデータ群の中から処理対象文字列特定図形を示すサークルの図形ベクトルデータを認識し、その図形ベクトルデータによって特定される処理対象文字列を示す文字コードデータを抽出する文字列抽出手段と、この文字列抽出手段によって抽出された文字コードデータ群の整理を行い、当該整理に基づいてビットマップメモリ上の画像データ群の再配置を行うフォーマット手段と、このフォーマット手段によって再配置された画像データ群に基づく文字や図形の出力を行う電子黒板出力手段とを有する電子黒板であって、スクリーン上に描かれた手書き入力の文字や図形は、各々サークルで囲まれた複数の文字列であり、枠で囲まれた複数の前記文字列を出力する電子黒板。」（以下「引用発明」という。）
 　 
（ウ）対比
　前記（ア）を踏まえて、本願補正発明と引用発明とを対比する。
 　 
　ａ　引用発明の「『スクリーン上に描かれた手書き入力』の『各々サークルで囲まれた複数の文字列』」は、本願補正発明の「複数の描画物」に相当し、引用発明の「『スクリーン上に描かれた手書き入力の文字や図形を画像データとして』『取り込』む『スキャナ』」は、本願補正発明の「複数の描画物が描画された被筆記面の画像を、入力画像として取得する入力手段」に相当する。
　
　ｂ　引用発明において、「『フォーマット手段』によって『出力され』る複数の『文字列』」は、「枠で囲まれ」ているから、「描画物の入力画像に占める領域を識別するための処理」を施されたものということができる。
　そして、引用発明は、「『スクリーン上に描かれた手書き入力』の『各々サークルで囲まれた複数の文字列』」を「枠で囲まれた複数の前記文字列」として出力するものであるから、「描画物の入力画像に占める領域を識別するための処理」を施された入力画像を出力するものということができる。
　
　ｃ　上記ａ及びｂによれば、引用発明は、複数の描画物が描画された被筆記面の画像を、入力画像として取得し、描画物の入力画像に占める領域を識別するための処理を施された入力画像を出力する情報処理機能を有するということができるから、引用発明は、「情報処理装置」ということができる。
　 
　ｄ　以上によれば、両者は、
「複数の描画物が描画された被筆記面の画像を、入力画像として取得し、描画物の入力画像に占める領域を識別するための処理を施された入力画像を出力する情報処理装置。」
である点で一致し、 
「本願補正発明は、描画物が描画された被筆記装置の被筆記面の画像に関して、「リンク元として予め指定された画像又は領域内の画像」が「リンク先として予め指定された画像又は他の領域内の画像」にリンクするように文書を生成するために、表示された描画物を利用してドラッグアンドドロップする操作により描画物のリンク付け作業を行い、これにより生成されたリンク情報とともに入力画像及び描画物を保存するようにしたものであって、かかる機能を実現するための、入力画像ないし描画物の識別処理及び表示のための手段、リンク付けのための編集手段、操作手段、保存手段等、ＢないしＪの各要素を具体的に特定したものであるのに対して、引用発明は、描画物のリンク付け作業を行うものではない点。」（以下「相違点」という。）
で相違するものと認められる。
 　 
（エ）判断
　ａ　前記（イ）ｃによれば、引用発明は、処理対象文字列の分類・整理を行うことにより、スクリーン上の文字や図形に基づいてアイデアをまとめたり整理したりすることが容易になるとの効果を奏するものであることが認められる。
　このことに照らせば、引用発明において、スクリーン上に複数回にわたって各々サークルに囲まれた多数の文字列、すなわち描画物が描かれること、また、描かれた描画物間に関連があることも十分想定し得るところである。
　
　ｂ　他方、本願出願時において、文書中あるいは異なる文書の関連のある部分や、関連のあるデータ同士をリンクさせることは、必要に応じて適宜なされる情報処理技術上の慣用手段であり、表示された複数の情報間をドラッグアンドドロップ操作することによりリンク情報を生成することも、周知の技術である（例えば、原査定に引用された特開平９−２１２４０７号公報の１頁【要約】欄、同じく特開平１１−３２８１７４号公報の１頁【要約】欄を参照。）から、引用発明において、描画物の入力画像に占める領域を識別するための処理を施された入力画像を表示し、関連がある描画物間をドラッグアンドドロップ操作することによりリンク情報を生成することにより、関連がある描画物間同士をリンクさせるようにすることは、当業者が容易に想到し得る程度のことである。
　そして、かかるリンク機能を実現するための具体的な構成は、当業者が適宜設計的に定め得る程度の事項というべきであり、本願出願時の情報処理分野における技術水準に照らして、相違点に係る本願補正発明のＢないしＪの構成とすることに格別の困難はないものと認められる。
　
　ｃ　また、本願補正発明において、引用発明及び周知技術から当業者が予測し得る域を超えるほどの格別顕著な効果が奏されるものとは認められない。
 　 
（オ）小括
 　以上の検討によれば、本願補正発明は、引用発明及び周知技術に基づいて当業者が容易に発明をすることができたものであるから、特許法第２９条第２項の規定により、特許出願の際独立して特許を受けることができないものである。 
　したがって、本件補正は、平成１４年改正前特許法第１７条の２第５項において準用する同法第１２６条第４項の規定に違反するものであるから、同法第１５９条第１項の規定において読み替えて準用する同法第５３条第１項の規定により却下すべきものである。
 　 
３　本願発明について
（１）本願発明
　上記のとおり、本件補正は却下されたので、本願の請求項に係る発明は、明細書及び図面の記載からみて、その特許請求の範囲の請求項１ないし請求項１５に記載された事項によって特定されるものと認められるところ、請求項１に係る発明（以下「本願発明」という。）は、前記２（２）アにおいて、補正前のものとして示したとおりのものである。
 　 
（２）判断
　前記２（２）イのとおり、本件補正は、特許請求の範囲を減縮を目的としたものと認められるところ、前記２（２）ウで検討したとおり、本願発明に係る特許請求の範囲を減縮したものである本願補正発明が、引用発明及び周知技術に基づいて当業者が容易に発明をすることができたものである以上、減縮前の本願発明も、本願補正発明と同様の理由により、引用発明及び周知技術に基づいて当業者が容易に発明をすることができたものである。
 　 
４　むすび
　以上のとおり、本願発明は、引用発明及び周知技術に基づいて当業者が容易に発明をすることができたものであるから、特許法第２９条第２項の規定により特許を受けることができない。
　よって、結論のとおり審決する。